(57)【特許請求の範囲】
【請求項１】
ハーモニカ用収納ケースであって、
可撓性を有する材料からなる筒状のケース本体と、このケース本体の開口部に嵌着される蓋体とからなり、
前記ケース本体の前記蓋体が嵌合する嵌合部は、先細のテーパ状に形成され、内側にハーモニカの抜けを防止する抜け防止部が設けられていることを特徴とするハーモニカ用収納ケース。
【請求項２】
請求項１記載のハーモニカ用収納ケースにおいて、
前記ケース本体の嵌合部に嵌合凸部を形成し、前記蓋体に前記嵌合凸部が嵌合し得る嵌合溝を形成したことを特徴とするハーモニカ用収納ケース。
【発明の詳細な説明】
【０００１】
【発明の属する技術分野】
この発明は、ハーモニカ用収納ケースに関し、特にハーモニカの出し入れを容易にし、ガタ付き、飛び出しを防止するようにしたものである。
【０００２】
【従来の技術】
リード楽器の一種として知られるこの種のハーモニカは、図１９〜図２２に示すように、ハーモニカ本体２と、長さが異なる複数個のリード３と、カバー４の３つの部分で構成されている。ハーモニカ本体２は、樹脂によって一体に形成され各音高のリード３に対応して細長い溝からなる複数個の笛室５がその吹口５Ａを揃えて並列的に形成された笛室形成部材６と、笛室５を覆う如く笛室形成部材６に密接固定されたプレート７とを備えている。リード３は０．３〜０．５ｍｍ程度の厚さを有する細長い金属板（ステンレス、黄銅板等）からなり、各笛室５に対応してプレート７に形成した長孔状の窓８にその一端を固定されて配設されており、息の出し入れによって振動し、これによって所定の音高の音が発音される。各リード３の音高（周波数）は、リード３の長さの二乗に反比例し、厚さに比例することから、リード３を長いものから短いものへと順に配列することによって音階を構成している。また、吹いて鳴らす吹リード（図２）はプレート７の内側に、吸って鳴らす吸リードはプレート７の外側に取り付けられている。カバー４は、演奏上ハーモニカ本体２を持ち易くする働きと、リード３を保護する働きと、リード３の振動によって発した音を拡大する共鳴器としての働きを有するもので、一般に黄銅板、ステンレス等によって製作されている。
【０００３】
なお、ハーモニカの音量、音色は、リード３の材質と形状（厚さ変化、曲がり具合など）、プレート７の材質と形状（特に窓形状）およびこれらとカバー４との構成によって決定され、音高を調節する場合、例えば高い方に調節する場合はリード３の先端をやや薄く削って先端の重量を軽くし、反対に音高を低く調節する場合はリード３の根元を削って弾性を弱くしている。
【０００４】
このような構成からなる従来のハーモニカ１においては、その両端部および中央部の厚さＷが略同厚で、ストレートな形状であった。また、このようなハーモニカ１を収納する収納ケース１０としては、ケース本体と開閉自在な蓋体とを厚紙等によって一体に形成した箱型のものとか、樹脂によって筒状に形成したケース本体と、このケース本体の開口部に嵌着される蓋体とで構成されたものが一般的である。
【０００５】
【発明が解決しようとする課題】
上記した従来のハーモニカを収納する収納ケースのうち、特に後者の筒状に形成したケース本体と、このケース本体の開口部に嵌着される蓋体とで構成された収納ケースにあっては、ハーモニカの引出し、収納操作を容易にするため、ケース本体の開口寸法をハーモニカの断面形状より大きく設定している。また、ケース本体と蓋体とを止める構造としてはケース本体の開口部外周面に嵌合凸部を形成し、蓋体の開口部内周面に嵌合溝を形成し、この嵌合溝と嵌合凸部の嵌合によってケース本体と蓋体とを結合し、蓋体のケース本体からの脱落防止を図っている。
しかしながら、このような嵌合凸部と嵌合溝との嵌合強度は簡単に外れない程度の強さに設定されているので、あまり大きくなく、そのため、僅かな外力によって外れ易いという問題があった。また、ケース本体の開口部はハーモニカに比べて大きいので、蓋体を開けた時の反動でハーモニカがケース本体から飛び出し易く、そのため床に落下してハーモニカ自体が傷ついたり、自分の足の上に落ちたり、周囲の人に思わぬ怪我をさせるという問題があった。
【０００６】
この発明は上記したような従来の問題を解決するためになされたもので、その目的とするところは、収納時のハーモニカのガタ付きを防止するようにしたハーモニカ用収納ケースを提供することにある。
【０００７】
【課題を解決するための手段】
上記目的を達成するため、第１の発明は、ハーモニカ用収納ケースであって、可撓性を有する材料からなる筒状のケース本体と、このケース本体の開口部に嵌着される蓋体とからなり、前記ケース本体の前記蓋体が嵌合する嵌合部は、先細のテーパ状に形成され、内側にハーモニカの抜けを防止する抜け防止部が設けられていることを特徴とする。
第２の発明は、上記第１の発明において、前記ケース本体の嵌合部に嵌合凸部を形成し、前記蓋体に前記嵌合凸部が嵌合し得る嵌合溝を形成したことを特徴とする。
【０００８】
請求項１に記載の発明において、ケース本体の抜け止め防止部は、収納時におけるハーモニカとの隙間を小さくし、ハーモニカのガタ付きを防止する。さらに、蓋体を取外した時にハーモニカが略半分まで飛び出すと、ハーモニカに当接してそれ以上の飛び出しを規制防止する。
請求項２に記載の発明において、嵌合凸部は嵌合溝と嵌合することで蓋体がケース本体から脱落するのを防止する。
【０００９】
【発明の実施の形態】
以下、この発明を図面に示す実施の形態に基づいて詳細に説明する。
図１はこの発明に係るハーモニカ用収納ケースに収納されるハーモニカの一例を示す正面図、図２は同ハーモニカの平面図、図３は同ハーモニカの底面図、図４は同ハーモニカの側面図である。これらの図において、図１９〜図２２と同一構成部品のものに対しては同一符号をもって示し、その詳細についての説明を省略する。本実施例は１つの音を１枚のリードで鳴らす単音ハーモニカに適用したものである。ハーモニカ１は、長さが異なる複数個のリード（図２０参照）を備えたハーモニカ本体２と、ハーモニカ本体２の上下面を覆う上下一対のカバー４とで構成されている。カバー４は、長手方向両端部が止めねじ２１によってハーモニカ本体２にそれぞれ固定されており、背面側には放音孔２２が形成されている。また、カバー４の前端部、すなわちハーモニカ本体２の吹口５Ａ側端部４ａは、口による咥えを容易にするためハーモニカ本体２の前端部に所要角度をもって接するようハーモニカ本体２側に折り曲げられ、後端４ｂ側には外側に凸となる指掛け部２３が長手方向全長にわたって設けられている。そして、上下のカバー４は、ハーモニカ本体２と略同一の大きさと長さを有し、長手方向において表面側に凸曲面となるよう湾曲形成されている。このため、ハーモニカ１は、正面視形状（吹口５Ａ前方から見た形状）が長円形状（凸レンズ状）を呈し、長手方向中央部の厚みＷ１  が最大で、端部に至るにしたがい漸次減少している。
なお、その他の構成は図１９〜図２２に示した従来のハーモニカと同様である。
【００１０】
次に、このような構成からなるハーモニカ１を収納するハーモニカ用収納ケースの構成等を図５〜図１８に基づいて詳述する。
図５はこの発明に係るハーモニカ用収納ケースの一実施の形態を示すハーモニカを収納した状態の平面図、図６は図５のＡ−Ａ線断面図、図７は蓋体の側面図、図８は図６のＢ−Ｂ線断面図、図９はハーモニカを略半分引き出した状態の断面図、図１０は図９のＣ−Ｃ線断面図である。
これらの図において、図１〜図４に示したハーモニカ１を収納するハーモニカ用収納ケース（以下、収納ケースとも云う）３０は、ポリエチレン等の可撓性を有する樹脂によって製作された筒状のケース本体３１と、同じくポリエチレン等の可撓性を有する樹脂によって製作されケース本体３１の開口端部外周面に嵌着される蓋体３２とで構成されている。
【００１１】
前記ケース本体３１は、ハーモニカ１の略２／３の長さを有し、前後方向の幅が全長にわたって略同一で、厚みが図６に示すように閉塞端部３１ａにおいて漸次減少した一端開放の角筒状体に形成されており、また蓋体３２が嵌合する嵌合部３３は図９に示すように蓋体３２の板厚分だけ小さく形成されると共に、その基部寄り外周面には蓋体３２を係止するための嵌合凸部３４が全周にわたって突設されている。また、ケース本体３１の開口端の高さ方向の幅Ｗ０  は、ハーモニカ１の長手方向中央部の最大厚みＷ１  （図１）より１．５〜２ｍｍ程度小さく設定されている。これは蓋体３２を外した際にハーモニカ１が飛び出して落下するのを防止するためである。さらに、嵌合部３３は蓋体３２の嵌合を容易にするため先端側が細くなるようテーパ状に形成されている。そして、ケース本体３１の閉塞端面には小さな通気孔３７が形成されている。
【００１２】
前記蓋体３２は、ハーモニカ１の略１／３の長さを有する一端開放の角筒状体に形成されており、その開口端部が前記ケース本体３１の嵌合部３３に嵌合し得る嵌合部３２ａを形成している。この嵌合部３２ａは上下面が略平行で、先端部内側面には前記嵌合凸部３４が嵌合し得る嵌合溝３９が全周にわって形成されている。一方、蓋体３２の閉塞端部３２ｂは、ケース本体３１の閉塞端部３１ａと同様に、断面が楕円形状とされることにより厚みが図６に示すように漸次減少されている。このため、ケース本体３１と蓋体３２とを嵌合した状態における収納ケース３０の正面視形状は、ハーモニカ１の正面視形状と略相似形で、これより若干大きな長円形状とされる。なお、平面視および側面視形状は略矩形である。
【００１３】
このような構成からなるハーモニカの収納ケース３０においては、ケース本体３１の開口端部幅Ｗ０  をハーモニカ１の長手方向中央部の最大厚さＷ１より若干小さく設定しているので、蓋体３２を開けた時、ハーモニカ１は略半分まで飛び出すと、カバー４に設けられた指掛け部２３の長手方向中央部が図１０に示すように本体ケース３１の開口端内側面に当たって止まるため、外部に完全に飛び出して落下するといった虞れがなく、従来ケースの不都合を解消することができる。また、ハーモニカ１の出し入れに際しては、ハーモニカ１の長手方向中央部のみがケース本体３１の開口部より大きくなっているので、大きな抵抗感もなく容易に出し入れすることができる。さらに、ケース本体３１は可撓性を有する樹脂によって形成されているので、ハーモニカ１の出し入れの際に開口部が膨らむが、その後は元の形状に復元するので、何等支障がない。
【００１４】
また、ケース本体３１の嵌合部３３を先細のテーパ状に形成すると共に蓋体３２を可撓性を有する樹脂によって形成しているので、蓋体３２をケース本体３１に対して容易に嵌着することができ、嵌合部３３に密着させることができる。
さらに、収納ケース３０は、正面視形状がハーモニカ１の正面視形状と略相似形で、これより若干大きな長円形状とされるため、収納状態においてケース内面とハーモニカ１との間の隙間が小さく、ハーモニカ１のガタ付きを軽減防止することができる。
【００１５】
図１１はこの発明に係るハーモニカ用収納ケースの他の実施例を示す平面図、図１２はケース本体の側面図、図１３は図１１のＤ−Ｄ線断面図、図１４はハーモニカを収納ケースに収納した状態を示す断面図、図１５はハーモニカをケース本体から略半分引き出した状態を示す断面図、図１６は図１３のＥ−Ｅ線断面図、図１７は図１３のＦ−Ｆ線断面図、図１８は図１５のＧ−Ｇ線断面図である。この実施例はケース本体３１の嵌合部３３の上下に対向する内側面にハーモニカ１のガタ付きおよび抜けを防止する抜け止め防止部４０を一体に突設したものである。抜け止め防止部４０としては、本実施例の場合、ケース本体３１の長手方向と直交する方向に長い長円形の突起としたが、これに限らず種々の形状とすることが可能である。また、この抜け止め防止部４０は、ケース本体３１の肉厚と等しい肉厚で筒状に形成されていることから、ケース本体３１の嵌合部３３の上下面には凹部４１が形成されている。
その他の構成は上記した実施例と全く同様であるため、同一構成部材のものに対しては同一符号をもって示し、その説明を省略する。
【００１６】
このような構成においては、ハーモニカ１を収納した状態において、抜け止め防止部４０とハーモニカ１のカバー４との隙間は、図１３および図１６に示すように僅かであるため、ハーモニカ１のガタ付きをより少なくすることができ、また蓋体３２を取り外した際にハーモニカ１が飛び出してきても、図１８に示すようにカバー４の厚みが端部に比べて大きい長手方向中央部が抜け止め防止部４０に当接し、さらに指掛け部２３の長手方向中央部が同じくケース本体３１の嵌合部内面に当接するため、上記実施例に比べてより一層ハーモニカ１の抜けを防止することができる。なお、この時、カバー４の長手方向中央部は最大厚みを有しているので、抜け止め防止部４０に当接すると、ケース本体３１の嵌合部３３を押し広げる。このため、ハーモニカ１とケース本体３１との間の摩擦が大きく、ハーモニカ１が抜け出すことはない。
【００１７】
なお、上記実施例は吹口５Ａが一列に並んだ単音ハーモニカに適用した場合について説明したが、これに何等特定されるものではなく、吹口を上下２段に形成したトレモロ・ハーモニカ等にも適用実施し得ることは勿論である。
【００１８】
【発明の効果】
以上説明したように、本発明に係るハーモニカ用収納ケースによれば、収納時において抜け止め防止部によりハーモニカのガタ付き、飛び出し等を確実に規制防止することができ、また蓋体を開けた時にハーモニカが飛び出すことがなく、したがって、落下してハーモニカが損傷したり、足を傷付けたりすることがない。また、嵌合凸部と嵌合溝との嵌合によりケース本体に対して蓋体を確実に固定することができ、蓋体の脱落をも防止することができる。
【図面の簡単な説明】
【図１】この発明に係るハーモニカ用収納ケースに収納されるハーモニカの一例を示す正面図である。
【図２】同ハーモニカの平面図である。
【図３】同ハーモニカの底面図である。
【図４】同ハーモニカの側面図である。
【図５】この発明に係るハーモニカ用収納ケースの一実施の形態を示すハーモニカを収納した状態の平面図である。
【図６】図５のＡ−Ａ線断面図である。
【図７】蓋体の側面図である。
【図８】図６のＢ−Ｂ線断面図である。
【図９】ハーモニカを略半分引き出した状態の断面図である。
【図１０】図９のＣ−Ｃ線断面図である。
【図１１】この発明に係るハーモニカ用収納ケースの他の実施例を示す平面図である。
【図１２】ケース本体の側面図である。
【図１３】図１１のＤ−Ｄ線断面図である。
【図１４】ハーモニカを収納ケースに収納した状態を示す断面図である。
【図１５】ハーモニカをケース本体から略半分引き出した状態を示す断面図である。
【図１６】図１３のＥ−Ｅ線断面図である。
【図１７】図１３のＦ−Ｆ線断面図である。
【図１８】図１５のＧ−Ｇ線断面図である。
【図１９】ハーモニカの従来例を示す正面図である。
【図２０】図１９のＨ−Ｈ線拡大断面図である。
【図２１】ハーモニカの平面図である。
【図２２】ハーモニカの側面図である。
【符号の説明】
１…ハーモニカ、２…ハーモニカ本体、３…リード、４…カバー、５…笛室、６…笛室形成部材、７…プレート、８…窓、９…放音孔、２３…指掛け部、３０…ハーモニカ用収納ケース、３１…ケース本体、３２…蓋体、４０…抜け止め防止部、３４…嵌合凸部、３９…嵌合溝。
【図１】
0003593722.tif 000002
【図２】
0003593722.tif 000003
【図３】
0003593722.tif 000004
【図４】
0003593722.tif 000005
【図５】
0003593722.tif 000006
【図６】
0003593722.tif 000007
【図７】
0003593722.tif 000008
【図８】
0003593722.tif 000009
【図９】
0003593722.tif 000010
【図１０】
0003593722.tif 000011
【図１１】
0003593722.tif 000012
【図１２】
0003593722.tif 000013
【図１３】
0003593722.tif 000014
【図１４】
0003593722.tif 000015
【図１５】
0003593722.tif 000016
【図１６】
0003593722.tif 000017
【図１７】
0003593722.tif 000018
【図１８】
0003593722.tif 000019
【図１９】
0003593722.tif 000020
【図２０】
0003593722.tif 000021
【図２１】
0003593722.tif 000022
【図２２】
0003593722.tif 000023